(57)【要約】【課題】携帯装置における気圧センサを用いる技術を改善すること。【解決手段】携帯装置（例えば、スマートフォン）１は、気圧センサ１９と、コントローラ１０とを備える。気圧センサ１９は、気圧の値を検出する。コントローラ１０は、アプリケーションを実行し、実行しているアプリケーションに気圧の値を用いる。コントローラ１０は、気圧の値の変化に基づいて自機が水に浸かったと判断すると、前記アプリケーションに所定のデータを入力する。例えば、所定のデータは、水に浸かっていることを示すデータ、水圧の値を示していることを示すデータ、および気圧の値を示していないことを示すデータの少なくとも１つが含まれる。【選択図】図４
2016213764.tif 000002
【特許請求の範囲】
【請求項１】
気圧の値を検出する気圧センサと、
実行しているアプリケーションに前記気圧の値を用いるコントローラと、を備え、
前記コントローラは、前記気圧の値の変化に基づいて自機が水に浸かったと判断すると、前記アプリケーションに所定のデータを入力する、携帯装置。
【請求項２】
気圧の値を検出する気圧センサと、
タッチスクリーンと、
実行しているアプリケーションに前記気圧の値を用いるとともに、前記タッチスクリーンの検出した接触点および当該接触点における出力値に基づいて自機が水に浸かったと判断すると、前記アプリケーションに所定のデータを入力するコントローラと、を備える、携帯装置。
【請求項３】
前記所定のデータは、水に浸かっていることを示すデータ、水圧の値を示していることを示すデータ、および気圧の値を示していないことを示すデータの少なくとも１つが含まれる、請求項１または２に記載の携帯装置。
【請求項４】
気圧の値を検出する気圧センサと、
実行しているアプリケーションに前記気圧の値を用いるコントローラと、を備え、
前記コントローラは、前記気圧の値の変化に基づいて自機が水に浸かったと判断すると、前記アプリケーションに前記気圧の値を用いるのを中止する、携帯装置。
【請求項５】
気圧の値を検出する気圧センサと、
タッチスクリーンと、
実行しているアプリケーションに前記気圧の値を用いるとともに、前記タッチスクリーンの検出した接触点および当該接触点における出力値に基づいて自機が水に浸かったと判断すると、前記アプリケーションに前記気圧の値を用いるのを中止するコントローラと、を備える、携帯装置。
【請求項６】
気圧の値を検出する気圧センサと、
実行しているアプリケーションに前記気圧の値を用いるコントローラと、を備え、
前記コントローラは、前記気圧の値の変化に基づいて自機が水に浸かったと判断すると、検出する前記気圧の値に依存しない値を前記アプリケーションに用いる、携帯装置。
【請求項７】
気圧の値を検出する気圧センサと、
タッチスクリーンと、
実行しているアプリケーションに前記気圧の値を用いるとともに、前記タッチスクリーンの検出した接触点および当該接触点における出力値に基づいて自機が水に浸かったと判断すると、前記アプリケーションに検出する前記気圧の値に依存しない値を用いるコントローラと、を備える、携帯装置。
【請求項８】
気圧の値を検出する気圧センサと、
実行しているアプリケーションに前記気圧の値を用いるコントローラと、を備え、
前記コントローラは、前記気圧の値の変化に基づいて自機が水に浸かったと判断すると、前記気圧の値を水圧の値として前記アプリケーションに用いる、携帯装置。
【請求項９】
前記コントローラは、前記アプリケーションにおいて、自機が水に浸かったと判断する前の前記気圧の値と、前記水圧の値と、に基づいて水深を計算する、請求項８に記載の携帯装置。
【請求項１０】
気圧センサを備える携帯装置が実行する制御方法であって、
前記気圧センサによって気圧の値を検出するステップと、
アプリケーションを実行するステップと、
実行しているアプリケーションに前記気圧の値を用いるステップと、
前記気圧の値の変化に基づいて自機が水に浸かったと判断すると、前記アプリケーションに所定のデータを入力するステップと、
を含む制御方法。
【請求項１１】
気圧センサを備える携帯装置に、
前記気圧センサによって気圧の値を検出するステップと、
アプリケーションを実行するステップと、
実行しているアプリケーションに前記気圧の値を用いるステップと、
前記気圧の値の変化に基づいて自機が水に浸かったと判断すると、前記アプリケーションに所定のデータを入力するステップと、
を実行させる制御プログラム。
【発明の詳細な説明】
【技術分野】
【０００１】
本出願は、携帯装置、制御方法、及び制御プログラムに関する。
【背景技術】
【０００２】
携帯電話やスマートフォンなどの携帯装置には、気圧センサを搭載したものがある。例えば、特許文献１には、気圧センサを用いて被験者の移動形態の種類を判別する携帯装置が開示されている。
【先行技術文献】
【特許文献】
【０００３】
【特許文献１】特開２００５−２３０３４０号公報
【発明の概要】
【発明が解決しようとする課題】
【０００４】
上記の携帯装置では、気圧センサを用いる技術に改善の余地がある。
【課題を解決するための手段】
【０００５】
１つの態様に係る携帯装置は、気圧の値を検出する気圧センサと、実行しているアプリケーションに前記気圧の値を用いるコントローラと、を備え、前記コントローラは、前記気圧の値の変化に基づいて自機が水に浸かったと判断すると、前記アプリケーションに所定のデータを入力する。
【０００６】
１つの態様に係る携帯装置は、気圧の値を検出する気圧センサと、タッチスクリーンと、実行しているアプリケーションに前記気圧の値を用いるとともに、前記タッチスクリーンの検出した接触点および当該接触点における出力値に基づいて自機が水に浸かったと判断すると、前記アプリケーションに所定のデータを入力するコントローラと、を備える。
【０００７】
１つの態様に係る携帯装置は、気圧の値を検出する気圧センサと、実行しているアプリケーションに前記気圧の値を用いるコントローラと、を備え、前記コントローラは、前記気圧の値の変化に基づいて自機が水に浸かったと判断すると、前記アプリケーションに前記気圧の値を用いるのを中止する。
【０００８】
１つの態様に係る携帯装置は、気圧の値を検出する気圧センサと、タッチスクリーンと、実行しているアプリケーションに前記気圧の値を用いるとともに、前記タッチスクリーンの検出した接触点および当該接触点における出力値に基づいて自機が水に浸かったと判断すると、前記アプリケーションに前記気圧の値を用いるのを中止するコントローラと、を備える。
【０００９】
１つの態様に係る携帯装置は、気圧の値を検出する気圧センサと、実行しているアプリケーションに前記気圧の値を用いるコントローラと、を備え、前記コントローラは、前記気圧の値の変化に基づいて自機が水に浸かったと判断すると、検出する前記気圧の値に依存しない値を前記アプリケーションに用いる。
【００１０】
１つの態様に係る携帯装置は、気圧の値を検出する気圧センサと、タッチスクリーンと、実行しているアプリケーションに前記気圧の値を用いるとともに、前記タッチスクリーンの検出した接触点および当該接触点における出力値に基づいて自機が水に浸かったと判断すると、前記アプリケーションに検出する前記気圧の値に依存しない値を用いるコントローラと、を備える。
【００１１】
１つの態様に係る携帯装置は、気圧の値を検出する気圧センサと、実行しているアプリケーションに前記気圧の値を用いるコントローラと、を備え、前記コントローラは、前記気圧の値の変化に基づいて自機が水に浸かったと判断すると、前記気圧の値を水圧の値として前記アプリケーションに用いる。
【００１２】
１つの態様に係る制御方法は、気圧センサを備える携帯装置が実行する制御方法であって、前記気圧センサによって気圧の値を検出するステップと、アプリケーションを実行するステップと、実行しているアプリケーションに前記気圧の値を用いるステップと、前記気圧の値の変化に基づいて自機が水に浸かったと判断すると、前記アプリケーションに所定のデータを入力するステップと、を含む。
【００１３】
１つの態様に係る制御プログラムは、気圧センサを備える携帯装置に、前記気圧センサによって気圧の値を検出するステップと、アプリケーションを実行するステップと、実行しているアプリケーションに前記気圧の値を用いるステップと、前記気圧の値の変化に基づいて自機が水に浸かったと判断すると、前記アプリケーションに所定のデータを入力するステップと、を実行させる。
【図面の簡単な説明】
【００１４】
【図１】図１は、実施形態に係るスマートフォンの斜視図である。
【図２】図２は、スマートフォンの正面図である。
【図３】図３は、スマートフォンの背面図である。
【図４】図４は、スマートフォンのブロック図である。
【図５】図５は、スマートフォンが水没した場合の気圧変化の例を示す図である。
【図６】図６は、スマートフォンによる制御の例の処理手順を示すフローチャートである。
【図７】図７は、気圧アプリケーションに関する処理手順を示すフローチャートである。
【図８】図８は、実施形態の他の例に係るスマートフォンによる制御の例の処理手順を示すフローチャートである。
【図９】図９は、実施形態の他の例に係る気圧アプリケーションに関する処理手順を示すフローチャートである。
【図１０】図１０は、実施形態の他の例に係るスマートフォンによる制御の例の処理手順を示すフローチャートである。
【図１１】図１１は、タッチスクリーンにおける検出構成の例を示す図である。
【図１２】図１２は、実施形態に係るスマートフォンによる制御の例の処理手順を示すフローチャートである。
【図１３】図１３は、実施形態の他の例に係るスマートフォンによる制御の例の処理手順を示すフローチャートである。
【図１４】図１４は、実施形態の他の例に係るスマートフォンによる制御の例の処理手順を示すフローチャートである。
【発明を実施するための形態】
【００１５】
本出願に係る携帯装置、制御方法、及び制御プログラムを実施するための複数の実施形態を、図面を参照しつつ詳細に説明する。以下では、携帯装置の例として、スマートフォンについて説明する。
【００１６】
図１から図３を参照しながら、実施形態に係るスマートフォン１の全体的な構成について説明する。図１から図３に示すように、スマートフォン１は、ハウジング２０を有する。ハウジング２０は、フロントフェイス１Ａと、バックフェイス１Ｂと、サイドフェイス１Ｃ１〜１Ｃ４とを有する。フロントフェイス１Ａは、ハウジング２０の正面である。バックフェイス１Ｂは、ハウジング２０の背面である。サイドフェイス１Ｃ１〜１Ｃ４は、フロントフェイス１Ａとバックフェイス１Ｂとを接続する側面である。以下では、サイドフェイス１Ｃ１〜１Ｃ４を、どの面であるかを特定することなく、サイドフェイス１Ｃと総称することがある。
【００１７】
スマートフォン１は、タッチスクリーンディスプレイ２と、ボタン３Ａ〜３Ｃと、照度センサ４と、近接センサ５と、レシーバ７と、マイク８と、カメラ１２とをフロントフェイス１Ａに有する。スマートフォン１は、スピーカ１１と、カメラ１３とをバックフェイス１Ｂに有する。スマートフォン１は、ボタン３Ｄ〜３Ｆと、コネクタ１４とをサイドフェイス１Ｃに有する。以下では、ボタン３Ａ〜３Ｆを、どのボタンであるかを特定することなく、ボタン３と総称することがある。
【００１８】
タッチスクリーンディスプレイ２は、ディスプレイ２Ａと、タッチスクリーン２Ｂとを有する。図１の例では、ディスプレイ２Ａ及びタッチスクリーン２Ｂはそれぞれ略長方形状であるが、ディスプレイ２Ａ及びタッチスクリーン２Ｂの形状はこれに限定されない。ディスプレイ２Ａ及びタッチスクリーン２Ｂは、それぞれが正方形又は円形等のどのような形状もとりうる。図１の例では、ディスプレイ２Ａ及びタッチスクリーン２Ｂは重なって位置しているが、ディスプレイ２Ａ及びタッチスクリーン２Ｂの位置はこれに限定されない。ディスプレイ２Ａ及びタッチスクリーン２Ｂは、例えば、並んで位置してもよいし、離れて位置してもよい。図１の例では、ディスプレイ２Ａの長辺はタッチスクリーン２Ｂの長辺に沿っており、ディスプレイ２Ａの短辺はタッチスクリーン２Ｂの短辺に沿っているが、ディスプレイ２Ａ及びタッチスクリーン２Ｂの重ね方はこれに限定されない。ディスプレイ２Ａとタッチスクリーン２Ｂとが重なって位置する場合、例えば、ディスプレイ２Ａの１ないし複数の辺は、タッチスクリーン２Ｂのいずれの辺とも沿っていなくてもよい。
【００１９】
ディスプレイ２Ａは、液晶ディスプレイ（ＬＣＤ：Ｌｉｑｕｉｄ  Ｃｒｙｓｔａｌ  Ｄｉｓｐｌａｙ）、有機ＥＬディスプレイ（ＯＥＬＤ：Ｏｒｇａｎｉｃ  Ｅｌｅｃｔｒｏ−Ｌｕｍｉｎｅｓｃｅｎｃｅ  Ｄｉｓｐｌａｙ）、又は無機ＥＬディスプレイ（ＩＥＬＤ：Ｉｎｏｒｇａｎｉｃ  Ｅｌｅｃｔｒｏ−Ｌｕｍｉｎｅｓｃｅｎｃｅ  Ｄｉｓｐｌａｙ）等の表示デバイスを備える。ディスプレイ２Ａは、文字、画像、記号、及び図形等を表示する。
【００２０】
タッチスクリーン２Ｂは、タッチスクリーン２Ｂに対する指、ペン、又はスタイラスペン等の接触を検出する。タッチスクリーン２Ｂは、複数の指、ペン、又はスタイラスペン等がタッチスクリーン２Ｂに接触した位置を検出することができる。以下の説明では、タッチスクリーン２Ｂに対して接触する指、ペン、又はスタイラスペン等を、「接触オブジェクト」又は「接触物」と呼ぶことがある。
【００２１】
タッチスクリーン２Ｂの検出方式は、静電容量方式、抵抗膜方式、表面弾性波方式、赤外線方式、及び荷重検出方式等の任意の方式でよい。以下の説明では、説明を簡単にするため、利用者はスマートフォン１を操作するために指を用いてタッチスクリーン２Ｂに接触するものと想定する。
【００２２】
スマートフォン１は、タッチスクリーン２Ｂにより検出された接触、接触が検出された位置、接触が検出された位置の変化、接触が検出された間隔、及び接触が検出された回数の少なくとも１つに基づいてジェスチャの種別を判別する。ジェスチャは、タッチスクリーン２Ｂに対して行われる操作である。スマートフォン１によって判別されるジェスチャは、例えば、タッチ、ロングタッチ、リリース、スワイプ、タップ、ダブルタップ、ロングタップ、ドラッグ、フリック、ピンチイン、及びピンチアウトを含むがこれらに限定されない。
【００２３】
スマートフォン１は、タッチスクリーン２Ｂを介して判別するこれらのジェスチャに従って動作を行う。このため、利用者にとって直感的で使いやすい操作性が実現される。判別されるジェスチャに従ってスマートフォン１が行う動作は、ディスプレイ２Ａに表示されている画面に応じて異なることがある。以下の説明では、説明を簡単にするために、「タッチスクリーン２Ｂが接触を検出し、検出された接触に基づいてジェスチャの種別をスマートフォン１がＸと判別すること」を、「スマートフォンがＸを検出する」、又は「コントローラがＸを検出する」と記載することがある。
【００２４】
スマートフォン１のハウジング２０は、内部への水の侵入が妨げられる構造になっている。スマートフォン１は、封止構造を実現するために、ハウジング２０に形成された開口部を、気体は通すが液体は通さない機能性部材、およびキャップ等によって閉塞している。気体は通すが液体は通さない機能性部材は、例えば、Ｇｏｒｅ−Ｔｅｘ（登録商標）、Ｄｒｙｔｅｃ、ｅＶｅｎｔ、ＢＥＲＧＴＥＣＨ、ＨｙｖｅｎｔＤなどを用いて実現される。本実施形態では、ハウジング２０は、タッチスクリーンディスプレイ２及びボタン３を有する。この場合、スマートフォン１は、ハウジング２０とタッチスクリーンディスプレイ２及びボタン３との隙間への水の侵入を、気体は通すが液体は通さない機能性部材等によって、妨げている。
【００２５】
スマートフォン１は、封止構造を備えることで、様々なユースケースを提供できる。ユースケースは、例えば、水場で使用されるケース、水中で使用されるケースを含む。
【００２６】
図４は、スマートフォン１のブロック図である。スマートフォン１は、タッチスクリーンディスプレイ２と、ボタン３と、照度センサ４と、近接センサ５と、通信ユニット６と、レシーバ７と、マイク８と、ストレージ９と、コントローラ１０と、スピーカ１１と、カメラ１２及び１３と、コネクタ１４と、加速度センサ１５と、方位センサ１６と、ジャイロスコープ１７と、気圧センサ１９とを有する。
【００２７】
タッチスクリーンディスプレイ２は、上述したように、ディスプレイ２Ａと、タッチスクリーン２Ｂとを有する。ディスプレイ２Ａは、文字、画像、記号、又は図形等を表示する。タッチスクリーン２Ｂは、接触を検出する。コントローラ１０は、スマートフォン１に対するジェスチャを検出する。具体的には、コントローラ１０は、タッチスクリーン２Ｂと協働することによって、タッチスクリーン２Ｂ（タッチスクリーンディスプレイ２）に対する操作（ジェスチャ）を検出する。
【００２８】
ボタン３は、利用者によって操作される。ボタン３は、ボタン３Ａ〜ボタン３Ｆを有する。コントローラ１０はボタン３と協働することによってボタン３に対する操作を検出する。ボタン３に対する操作は、例えば、クリック、ダブルクリック、トリプルクリック、プッシュ、及びマルチプッシュを含むが、これらに限定されない。
【００２９】
ボタン３Ａ〜３Ｃは、例えば、ホームボタン、バックボタン又はメニューボタンである。ボタン３Ｄは、例えば、スマートフォン１のパワーオン／オフボタンである。ボタン３Ｄは、スリープ／スリープ解除ボタンを兼ねてもよい。ボタン３Ｅ及び３Ｆは、例えば、音量ボタンである。
【００３０】
照度センサ４は、スマートフォン１の周囲光の照度を検出する。照度は、光の強さ、明るさ、又は輝度を示す。照度センサ４は、例えば、ディスプレイ２Ａの輝度の調整に用いられる。近接センサ５は、近隣の物体の存在を非接触で検出する。近接センサ５は、磁界の変化又は超音波の反射波の帰還時間の変化等に基づいて物体の存在を検出する。近接センサ５は、例えば、タッチスクリーンディスプレイ２が顔に近付けられたことを検出する。照度センサ４及び近接センサ５は、一つのセンサとして構成されていてもよい。照度センサ４は、近接センサとして用いられてもよい。
【００３１】
通信ユニット６は、無線により通信する。通信ユニット６によってサポートされる通信方式は、無線通信規格である。無線通信規格として、例えば、２Ｇ、３Ｇ、４Ｇ等のセルラーフォンの通信規格がある。セルラーフォンの通信規格として、例えば、ＬＴＥ（Ｌｏｎｇ  Ｔｅｒｍ  Ｅｖｏｌｕｔｉｏｎ）、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＣＤＭＡ２０００（Ｗｉｄｅｂａｎｄ  Ｃｏｄｅ  Ｄｉｖｉｓｉｏｎ  Ｍｕｌｔｉｐｌｅ  Ａｃｃｅｓｓ  ２０００）、ＰＤＣ（Ｐｅｒｓｏｎａｌ  Ｄｉｇｉｔａｌ  Ｃｅｌｌｕｌａｒ）、ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎｓ）、ＰＨＳ（Ｐｅｒｓｏｎａｌ  Ｈａｎｄｙ−ｐｈｏｎｅ  Ｓｙｓｔｅｍ）等を含む。無線通信規格として、さらに、例えば、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ＩＥＥＥ８０２．１１、Ｂｌｕｅｔｏｏｔｈ（登録商標）、ＩｒＤＡ（Ｉｎｆｒａｒｅｄ  Ｄａｔａ  Ａｓｓｏｃｉａｔｉｏｎ）、ＮＦＣ（Ｎｅａｒ  Ｆｉｅｌｄ  Ｃｏｍｍｕｎｉｃａｔｉｏｎ）等を含む。通信ユニット６は、上述した通信規格の１つ又は複数をサポートしていてもよい。
【００３２】
レシーバ７及びスピーカ１１は、音を出力する出力部の１つの例である。レシーバ７及びスピーカ１１は、コントローラ１０から送信される音信号を音として出力できる。レシーバ７は、例えば、通話時に相手の声を出力するために用いてもよい。スピーカ１１は、例えば、着信音及び音楽を出力するために用いてもよい。レシーバ７及びスピーカ１１の一方が、他方の機能を兼ねてもよい。マイク８は、音を入力する入力部の１つの例である。マイク８は、利用者の音声等を音信号へ変換してコントローラ１０へ送信できる。
【００３３】
ストレージ９は、プログラム及びデータを記憶できる。ストレージ９は、コントローラ１０の処理結果を一時的に記憶する作業領域としても利用してもよい。ストレージ９は、記録媒体を含む。記録媒体は、半導体記憶媒体、及び磁気記憶媒体等の任意の非一過的（ｎｏｎ−ｔｒａｎｓｉｔｏｒｙ）な記憶媒体を含んでよい。ストレージ９は、複数の種類の記憶媒体を含んでよい。ストレージ９は、メモリカード、光ディスク、又は光磁気ディスク等の可搬の記憶媒体と、記憶媒体の読み取り装置との組み合わせを含んでよい。ストレージ９は、ＲＡＭ（Ｒａｎｄｏｍ  Ａｃｃｅｓｓ  Ｍｅｍｏｒｙ）等の一時的な記憶領域として利用される記憶デバイスを含んでよい。
【００３４】
ストレージ９に記憶されるプログラムには、フォアグランド又はバックグランドで実行されるアプリケーションと、アプリケーションの動作を支援する制御プログラムとが含まれる。アプリケーションは、例えば、ディスプレイ２Ａに画面を表示させ、タッチスクリーン２Ｂを介して検出されるジェスチャに応じた処理をコントローラ１０に実行させる。制御プログラムは、例えば、ＯＳである。アプリケーション及び制御プログラムは、通信ユニット６による無線通信又は非一過的な記憶媒体を介してストレージ９にインストールされてもよい。
【００３５】
ストレージ９は、例えば、制御プログラム９Ａ、気圧アプリケーション９Ｂ、気圧データ９Ｘ、及び設定データ９Ｚを記憶する。気圧アプリケーション９Ｂは、例えば、スマートフォン１に作用する気圧を表示する機能を提供できる。気圧データ９Ｘは、スマートフォン１に作用する気圧を示す情報を含む。設定データ９Ｚは、スマートフォン１の動作に関する各種の設定に関する情報を含む。
【００３６】
制御プログラム９Ａは、スマートフォン１を稼働させるための各種制御に関する機能を提供できる。制御プログラム９Ａは、例えば、通信ユニット６、レシーバ７、及びマイク８等を制御することによって、通話を実現させる。制御プログラム９Ａが提供する機能には、タッチスクリーン２Ｂを介して検出されたジェスチャに応じて、ディスプレイ２Ａに表示されている情報を変更する等の各種制御を行う機能が含まれる。制御プログラム９Ａが提供する機能には、加速度センサ１５及び気圧センサ１９等を制御することによって、スマートフォン１を所持する利用者の移動、停止等を検出する機能が含まれる。制御プログラム９Ａが提供する機能は、気圧アプリケーション９Ｂ等の他のプログラムが提供する機能と組み合わせて利用されることがある。
【００３７】
制御プログラム９Ａは、スマートフォン１（自機）が水に浸かっているかを判別するための機能を提供できる。スマートフォン１が水中に浸かっていると判別する方法については、後述する。
【００３８】
気圧アプリケーション９Ｂは、例えば、気圧の値を表示するために用いられる。気圧アプリケーション９Ｂは、例えば、バロメータ（気圧計）の機能を提供できる。気圧アプリケーション９Ｂは、任意の周期で気圧をロギングする機能を提供できる。気圧アプリケーション９Ｂは、気圧センサ１９によって検出した気圧の値をディスプレイ２Ａに表示する機能を提供できる。気圧アプリケーション９Ｂは、検出した気圧の値を算出式に当てはめて、高度を算出する機能を提供できる。本実施形態では、気圧アプリケーション９Ｂは、気圧の値と高度の値を表示する機能を提供する場合について説明する。
【００３９】
気圧データ９Ｘには、複数の気圧情報を含んでもよい。気圧データ９Ｘは、時系列的に記憶される。気圧情報は、時間と、気圧といった項目を含む。時間は、気圧センサ１９によって気圧を検出した時間を示す。気圧は、気圧センサ１９によって検出した大気の圧力の値を示す。気圧データ９Ｘは、気圧センサ１９によって検出された気圧の値がロギングされる。
【００４０】
設定データ９Ｚは、スマートフォン１（自機）が水に浸かったことを判断するための条件データを含む。自機が水に浸かるとは、例えば、自機全体が水に浸かること、自機が水没すること、自機の一部が水に浸かることを含む。条件データについては、後述する。
【００４１】
コントローラ１０は、演算処理装置を含む。演算処理装置は、例えば、ＣＰＵ（Ｃｅｎｔｒａｌ  Ｐｒｏｃｅｓｓｉｎｇ  Ｕｎｉｔ）、ＳｏＣ（Ｓｙｓｔｅｍ−ｏｎ−ａ−ｃｈｉｐ）、ＭＣＵ（Ｍｉｃｒｏ  Ｃｏｎｔｒｏｌ  Ｕｎｉｔ）、ＦＰＧＡ（Ｆｉｅｌｄ−Ｐｒｏｇｒａｍｍａｂｌｅ  Ｇａｔｅ  Ａｒｒａｙ）、及びコプロセッサを含むが、これらに限定されない。コントローラ１０は、スマートフォン１の動作を統括的に制御できる。コントローラ１０の各種機能は、コントローラ１０の制御に基づいて実現される。
【００４２】
具体的には、コントローラ１０は、ストレージ９に記憶されているプログラムに含まれる命令を実行できる。コントローラ１０は、ストレージ９に記憶されているデータを必要に応じて参照できる。コントローラ１０は、データ及び命令に応じて機能部を制御する。コントローラ１０は、機能部を制御することによって、各種機能を実現する。機能部は、例えば、ディスプレイ２Ａ、通信ユニット６、レシーバ７、及びスピーカ１１を含むが、これらに限定されない。コントローラ１０は、検出部の検出結果に応じて、制御を変更することがある。検出部は、例えば、タッチスクリーン２Ｂ、ボタン３、照度センサ４、近接センサ５、マイク８、カメラ１２、カメラ１３、加速度センサ１５、方位センサ１６、ジャイロスコープ１７、及び気圧センサ１９を含むが、これらに限定されない。
【００４３】
コントローラ１０は、例えば、制御プログラム９Ａを実行することにより、各種制御を実行できる。コントローラ１０が実行できる各種制御には、タッチスクリーン２Ｂを介して検出されたジェスチャに応じて、ディスプレイ２Ａに表示されている情報を変更することが含まれる。
【００４４】
カメラ１２は、フロントフェイス１Ａに面している物体を撮影するインカメラである。カメラ１３は、バックフェイス１Ｂに面している物体を撮影するアウトカメラである。
【００４５】
コネクタ１４は、他の装置が接続される端子である。コネクタ１４は、ＵＳＢ（Ｕｎｉｖｅｒｓａｌ  Ｓｅｒｉａｌ  Ｂｕｓ）、ＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）、ライトピーク（サンダーボルト（登録商標））、イヤホンマイクコネクタのような汎用的な端子であってもよい。コネクタ１４は、Ｄｏｃｋコネクタのような専用の端子でもよい。コネクタ１４に接続される装置は、例えば、外部ストレージ、スピーカ、及び通信装置を含むが、これらに限定されない。
【００４６】
加速度センサ１５は、スマートフォン１に働く加速度の方向及び大きさを検出できる。方位センサ１６は、地磁気の向きを検出できる。ジャイロスコープ１７は、スマートフォン１の角度及び角速度の大きさを検出できる。気圧センサ１９は、スマートフォン１に作用する気圧を検出できる。加速度センサ１５、方位センサ１６、ジャイロスコープ１７、及び気圧センサ１９の検出結果は、スマートフォン１の位置及び姿勢の変化を検出するために、組み合わせて利用される。
【００４７】
図４においてストレージ９が記憶するプログラム及びデータの一部又は全部は、通信ユニット６による無線通信で他の装置からダウンロードされてもよい。図４においてストレージ９が記憶するプログラム及びデータの一部又は全部は、ストレージ９に含まれる読み取り装置が読み取り可能な非一過的な記憶媒体に記憶されていてもよい。図４においてストレージ９が記憶するプログラム及びデータの一部又は全部は、コネクタ１４に接続される読み取り装置が読み取り可能な非一過的な記憶媒体に記憶されていてもよい。非一過的な記憶媒体は、例えば、ＣＤ（登録商標）、ＤＶＤ（登録商標）、Ｂｌｕ−ｒａｙ（登録商標）等の光ディスク、光磁気ディスク、磁気記憶媒体、メモリカード、及びソリッドステート記憶媒体を含むが、これらに限定されない。
【００４８】
図４に示したスマートフォン１の構成は例であり、本発明の要旨を損なわない範囲において適宜変更してよい。例えば、ボタン３の数と種類は図４の例に限定されない。スマートフォン１は、画面に関する操作のためのボタンとして、ボタン３Ａ〜３Ｃに代えて、テンキー配列又はＱＷＥＲＴＹ配列等のボタンを備えていてもよい。スマートフォン１は、画面に関する操作のために、ボタンを１つだけ備えてもよいし、ボタンを備えなくてもよい。図４に示した例では、スマートフォン１が２つのカメラを備えるが、スマートフォン１は、１つのカメラのみを備えてもよいし、カメラを備えなくてもよい。図４に示した例では、スマートフォン１が位置及び姿勢を検出するために４種類のセンサを備えるが、スマートフォン１は、このうちいくつかのセンサを備えなくてもよい。あるいは、スマートフォン１は、位置及び姿勢の少なくとも１つを検出するための他の種類のセンサを備えてもよい。
【００４９】
図５を参照しながら、スマートフォン１が水没した場合、すなわち、自機が完全に水に浸かった場合に、気圧センサ１９によって検出される気圧の変化の例について説明する。図５は、スマートフォン１が水没した場合の気圧変化の例を示す図である。
【００５０】
図５に示すグラフＧは、封止状態のスマートフォン１が水没した際の気圧の変化を示している。封止状態とは、ハウジング２０内への水の侵入が妨げられている状態である。封止状態は、水没したスマートフォン１の動作が可能な状態である。
【００５１】
図５に示す例では、気圧センサ１９は、自機が水没する前は、大気の値を検出している。気圧センサ１９が検出する気圧の値は、スマートフォン１が水没すると、数秒の間に９９０ｈＰａから１００４ｈＰａまで上昇している。スマートフォン１の水没が継続している間、気圧センサ１９が検出する気圧の値は、１００３ｈＰａが持続する。このように、スマートフォン１は、水没すると、水圧により気圧センサ１９が検出する気圧の値が急激に上昇する。
【００５２】
これに対し、スマートフォン１は、建物のフロアを１階移動した際に約０．５ｈＰａの気圧の変化量を検出する。このように、スマートフォン１は、水没による気圧の変化は、フロアを移動する場合の気圧の変化よりも大きい。
【００５３】
スマートフォン１は、気圧センサ１９によって検出される気圧の変化に基づいて、自機が水に浸かったことを判断することができる。スマートフォン１は、気圧の検出に用いている気圧センサ１９の検出結果を、自機が水に浸かっているかの判断（検出）に用いることができる。
【００５４】
本実施形態では、スマートフォン１は、自機が水に浸かったことを判断するための条件データを、設定データ９Ｚに記憶する場合について説明する。条件データは、水没による所定時間当たりの気圧の変化量を示す判断条件を含む。例えば、スマートフォン１は、１秒未満の間に、気圧（高さ）が１ｈＰａ（約１０ｍ）も変化する可能性は低い。条件データは、例えば、６００ｍｓの間に気圧が１ｈＰａ以上変化した場合に、自機が水に浸かった（水没した）と判断する判断条件を含む。
【００５５】
スマートフォン１は、気圧アプリケーション９Ｂを実行した後、気圧センサ１９が検出した気圧の値をストレージ９の気圧データ９Ｘにロギングする。なお、スマートフォン１は、気圧センサ１９が検出した気圧の値をストレージ９の気圧データ９Ｘにロギングした状態で、気圧アプリケーション９Ｂを実行してもよい。スマートフォン１は、気圧の値の変化と条件データとに基づいて、自機が水に浸かったかを判断する。
【００５６】
スマートフォン１は、自機が水に浸かっていないと判断した場合、実行している気圧アプリケーション９Ｂに検出した気圧の値を入力する。スマートフォン１は、気圧アプリケーション９Ｂによって気圧の値及び高度の値をディスプレイ２Ａに表示する。
【００５７】
スマートフォン１は、自機が水に浸かったと判断した場合、実行している気圧アプリケーション９Ｂに所定のデータを入力する。所定のデータは、水に浸かっていることを示すデータ、水圧の値を示していることを示すデータ、気圧の値を示していないことを示すデータを含む。本実施形態では、所定のデータは、水に浸かっていることを示すデータである場合について説明する。この場合、スマートフォン１は、気圧アプリケーション９Ｂによって水に浸かっていることを示す情報及び気圧の値をディスプレイ２Ａに表示する。
【００５８】
実施形態に係るスマートフォン１は、気圧センサ１９を用いて自機が水に浸かったことを判断することができる。スマートフォン１は、自機が水に浸かったと判断すると、気圧の値を用いる気圧アプリケーション９Ｂに入力することができる。スマートフォン１は、気圧アプリケーション９Ｂに用いている気圧の値が、水に浸かった場合に検出した気圧の値なのか否かを、利用者に識別可能に表示することができる。スマートフォン１は、気圧の値が急激に変化することによる利用者の違和感を低減させることができる。
【００５９】
上述の実施形態では、スマートフォン１は、自機が水に浸かったと判断した場合、所定のデータを気圧アプリケーション９Ｂに入力する場合について説明したが、実施形態はこの場合に限定されない。例えば、スマートフォン１は、自機が水に浸かったと判断した場合、所定のデータをストレージ９の気圧データ９Ｘに紐付けて記憶してもよい。スマートフォン１は、自機が水没したと判断したことを、気圧に関するログとして残すことができる。
【００６０】
図６を参照しながら、スマートフォン１による水に浸かったかの判断に関する制御の処理手順について説明する。図６は、スマートフォン１による制御の例の処理手順を示すフローチャートである。図６に示す処理手順は、コントローラ１０が制御プログラム９Ａを実行することによって実現される。図６に示す処理手順は、気圧アプリケーション９Ｂの実行が利用者によって要求された場合に実行される。
【００６１】
図６に示すように、スマートフォン１のコントローラ１０は、ステップＳ１０１として、気圧アプリケーション９Ｂを実行する。気圧アプリケーション９Ｂを実行しているコントローラ１０の処理については、後述する。
【００６２】
コントローラ１０は、ステップＳ１０２として、ストレージ９の気圧データ９Ｘに基づいて、自機が水に浸かったかを判別する。具体的には、コントローラ１０は、気圧データ９Ｘにロギングされた気圧の変化が条件データの判断条件を満たす場合に、自機が水に浸かったと判別する。
【００６３】
コントローラ１０は、ステップＳ１０２で自機が水に浸かっていないと判別した場合（ステップＳ１０３でＮｏ）、処理をステップＳ１０４に進める。コントローラ１０は、ステップＳ１０４として、検出した気圧の値を気圧アプリケーション９Ｂに入力し、その後、処理を後述するステップＳ１０６に進める。
【００６４】
コントローラ１０は、ステップＳ１０２で自機が水に浸かったと判別した場合（ステップＳ１０３でＹｅｓ）、処理をステップＳ１０５に進める。コントローラ１０は、ステップＳ１０５として、所定のデータを気圧アプリケーション９Ｂに入力し、その後、処理をステップＳ１０６に進める。
【００６５】
コントローラ１０は、ステップＳ１０６として、気圧アプリケーション９Ｂが終了したかを判定する。コントローラ１０は、気圧アプリケーション９Ｂが終了していないと判定した場合（ステップＳ１０６でＮｏ）、処理をステップＳ１０２に戻して再実行する。コントローラ１０は、気圧アプリケーション９Ｂが終了したと判定した場合（ステップＳ１０６でＹｅｓ）、図６に示す処理手順を終了させる。
【００６６】
図７を参照しながら、スマートフォン１の気圧アプリケーション９Ｂに関する制御の処理手順について説明する。図７は、気圧アプリケーション９Ｂに関する処理手順を示すフローチャートである。図７に示す処理手順は、コントローラ１０が気圧アプリケーション９Ｂを実行することによって実現される。
【００６７】
図７に示すように、スマートフォン１のコントローラ１０は、ステップＳ２０１として、所定のデータが入力されたかを判定する。具体的には、コントローラ１０は、図６に示す処理手順のステップＳ１０５が実行された場合に、所定のデータが入力されたと判定する。コントローラ１０は、所定のデータが入力されていないと判定した場合（ステップＳ２０１でＮｏ）、処理をステップＳ２０２に進める。
【００６８】
コントローラ１０は、ステップＳ２０２として、気圧の値が入力されたかを判定する。具体的には、コントローラ１０は、図６に示す処理手順のステップＳ１０４が実行された場合に、気圧の値が入力されたと判定する。コントローラ１０は、気圧の値が入力されていないと判定した場合（ステップＳ２０２でＮｏ）、処理を後述するステップＳ２０５に進める。コントローラ１０は、気圧の値が入力されたと判定した場合（ステップＳ２０２でＹｅｓ）、処理をステップＳ２０３に進める。
【００６９】
コントローラ１０は、ステップＳ２０３として、気圧センサ１９によって検出された気圧の値に基づく通常の処理を実行する。通常の処理は、例えば、入力された気圧の値と高度の値をディスプレイ２Ａに表示する処理を含む。コントローラ１０は、通常の処理を実行することにより、例えば、気圧の情報と高度の情報を含む画面をディスプレイ２Ａに表示させる。コントローラ１０は、通常の処理を実行すると、処理を後述するステップＳ２０５に進める。
【００７０】
コントローラ１０は、所定のデータが入力されたと判定した場合（ステップＳ２０１でＹｅｓ）、処理をステップＳ２０４に進める。コントローラ１０は、ステップＳ２０４として、自機が水に浸かっている場合の処置を実行する。水に浸かっている場合の処理は、水に浸かっていることを示す情報をディスプレイ２Ａに表示する処理を含む。コントローラ１０は、水に浸かっている場合の処理を実行することにより、例えば、水に浸かっていることを示す情報と気圧の情報と高度の情報とを含む画面をディスプレイ２Ａに表示させる。なお、コントローラ１０は、水に浸かっていることを示す情報を画面に表示させる場合、気圧の情報及び高度の情報は画面に表示しなくてもよい。コントローラ１０は、水に浸かっている場合の処理を実行すると、処理をステップＳ２０５に進める。
【００７１】
コントローラ１０は、ステップＳ２０５として、終了するかを判定する。例えば、コントローラ１０は、利用者による終了操作を検出した場合に、終了すると判定する。コントローラ１０は、終了ではないと判定した場合（ステップＳ２０５でＮｏ）、ステップＳ２０１に戻り、処理を再実行する。コントローラ１０は、終了であると判定した場合（ステップＳ２０５でＹｅｓ）、図７に示す処理手順を終了させる。
【００７２】
上記のスマートフォン１は、所定のデータが水に浸かっていることを示すデータである場合、気圧アプリケーション９Ｂによって気圧の値を水圧の値としてディスプレイ２Ａに表示させてもよい。この場合、スマートフォン１は、所定のデータ及び気圧の値を気圧アプリケーション９Ｂに入力すればよい。スマートフォン１は、水圧の値をディスプレイ２Ａに表示することで、利用者が水中で自機を使用する場合の利便性を向上させることができる。
【００７３】
以下に実施形態に係るスマートフォン１の他の例について説明する。実施形態の他の例に係るスマートフォン１は、制御プログラム９Ａの機能が異なる点を除いて、図１から４に示したスマートフォン１と同様の構成を有する。そこで、以下では、スマートフォン１を例として用いて、実施形態の他の例について説明する。
【００７４】
スマートフォン１は、気圧アプリケーション９Ｂを実行した後、気圧センサ１９が検出した気圧の値をストレージ９の気圧データ９Ｘにロギングする。スマートフォン１は、気圧の値の変化と条件データとに基づいて、自機が水に浸かったかを判断する。
【００７５】
スマートフォン１は、自機が水に浸かっていないと判断した場合、実行している気圧アプリケーション９Ｂに検出した気圧の値を入力する。スマートフォン１は、気圧アプリケーション９Ｂによって気圧の値及び高度の値をディスプレイ２Ａに表示する。
【００７６】
スマートフォン１は、自機が水に浸かったと判断した場合、検出した気圧の値を実行している気圧アプリケーション９Ｂに用いるのを中止する。スマートフォン１は、気圧アプリケーション９Ｂによってディスプレイ２Ａに表示している気圧の値及び高度の値の更新を中止する。その結果、スマートフォン１は、検出した気圧の値が急激に変化した場合、気圧の値ではない値（水圧の値）が表示されることを防止することができる。
【００７７】
図８を参照しながら、スマートフォン１による実施形態の他の例に係る制御の処理手順について説明する。図８は、実施形態の他の例に係るスマートフォン１による制御の例の処理手順を示すフローチャートである。図８に示す処理手順は、コントローラ１０が制御プログラム９Ａを実行することによって実現される。図８に示す処理手順は、気圧アプリケーション９Ｂの実行が利用者によって要求された場合に、コントローラ１０によって実行される。
【００７８】
図８に示す例では、ステップＳ１０１からステップＳ１０４及びステップＳ１０６の処理は、図６に示すステップＳ１０１からステップＳ１０４及びステップＳ１０６の処理と同一であるため、異なる部分のみを説明し、同一部分の説明は省略する。
【００７９】
コントローラ１０は、ステップＳ１０２で自機が水に浸かったと判別した場合（ステップＳ１０３でＹｅｓ）、処理をステップＳ１１１に進める。コントローラ１０は、ステップＳ１１１として、検出した気圧の値を気圧アプリケーション９Ｂに用いるのを中止する。すなわち、コントローラ１０は、気圧の値を気圧アプリケーション９Ｂに入力しない。コントローラ１０は、処理を既に説明したステップＳ１０６に進める。コントローラ１０は、気圧アプリケーション９Ｂが終了したと判定した場合（ステップＳ１０６でＹｅｓ）、図８に示す処理手順を終了させる。
【００８０】
図９を参照しながら、他の例に係るスマートフォン１の気圧アプリケーション９Ｂに関する制御の処理手順について説明する。図９は、実施形態の他の例に係る気圧アプリケーション９Ｂに関する処理手順を示すフローチャートである。図９に示す処理手順は、コントローラ１０が気圧アプリケーション９Ｂを実行することによって実現される。
【００８１】
図９に示すように、スマートフォン１のコントローラ１０は、ステップＳ２１１として、気圧の値が入力されたかを判定する。具体的には、コントローラ１０は、図８に示す処理手順のステップＳ１０４が実行された場合に、気圧の値が入力されたと判定する。コントローラ１０は、気圧の値が入力されていないと判定した場合（ステップＳ２１１でＮｏ）、処理を後述するステップＳ２１３に進める。コントローラ１０は、気圧の値が入力されたと判定した場合（ステップＳ２１１でＹｅｓ）、処理をステップＳ２１２に進める。
【００８２】
コントローラ１０は、ステップＳ２１２として、気圧センサ１９によって検出された気圧の値に基づく通常の処理を実行する。通常の処理は、例えば、入力された気圧の値と高度の値をディスプレイ２Ａに表示する処理を含む。コントローラ１０は、通常の処理を実行することにより、例えば、気圧の情報と高度の情報を含む画面をディスプレイ２Ａに表示させる。コントローラ１０は、通常の処理を実行すると、処理をステップＳ２１３に進める。
【００８３】
コントローラ１０は、ステップＳ２１３として、終了するかを判定する。コントローラ１０は、終了ではないと判定した場合（ステップＳ２１３でＮｏ）、ステップＳ２１１に戻り、処理を再実行する。コントローラ１０は、終了であると判定した場合（ステップＳ２１３でＹｅｓ）、図９に示す処理手順を終了させる。
【００８４】
以下に実施形態に係るスマートフォン１の他の例について説明する。実施形態の他の例に係るスマートフォン１は、制御プログラム９Ａの機能が異なる点を除いて、図１から４に示したスマートフォン１と同様の構成を有する。そこで、以下では、スマートフォン１を例として用いて、実施形態の他の例について説明する。
【００８５】
スマートフォン１は、気圧アプリケーション９Ｂを実行した後、気圧センサ１９が検出した気圧の値をストレージ９の気圧データ９Ｘにロギングする。スマートフォン１は、気圧の値の変化と条件データとに基づいて、自機が水に浸かったかを判断する。
【００８６】
スマートフォン１は、自機が水に浸かっていないと判断した場合、実行している気圧アプリケーション９Ｂに検出した気圧の値を入力する。スマートフォン１は、気圧アプリケーション９Ｂによって気圧の値及び高度の値をディスプレイ２Ａに表示する。
【００８７】
スマートフォン１は、自機が水に浸かったと判断した場合、水に浸かる前の気圧の値を気圧アプリケーション９Ｂに入力する。スマートフォン１は、実行している気圧アプリケーション９Ｂによって、水に浸かる前の気圧の値及びその高度の値をディスプレイ２Ａに表示する。その結果、スマートフォン１は、検出した気圧の値が急激に変化した場合、気圧の値ではない値（水圧の値）が表示されることを防止することができる。
【００８８】
図１０を参照しながら、スマートフォン１による実施形態の他の例に係る制御の処理手順について説明する。図１０は、実施形態の他の例に係るスマートフォン１による制御の例の処理手順を示すフローチャートである。図１０に示す処理手順は、コントローラ１０が制御プログラム９Ａを実行することによって実現される。図１０に示す処理手順は、気圧アプリケーション９Ｂの実行が利用者によって要求された場合に、コントローラ１０によって実行される。
【００８９】
図１０に示す例では、ステップＳ１０１からステップＳ１０４及びステップＳ１０６の処理は、図６に示すステップＳ１０１からステップＳ１０４及びステップＳ１０６の処理と同一であるため、異なる部分のみを説明し、同一部分の説明は省略する。
【００９０】
コントローラ１０は、ステップＳ１０２で自機が水に浸かったと判別した場合（ステップＳ１０３でＹｅｓ）、処理をステップＳ１２１に進める。コントローラ１０は、ステップＳ１２１として、ストレージ９の気圧データ９Ｘから水に浸かる前の気圧の値を取得する。具体的には、コントローラ１０は、気圧データ９Ｘから気圧の値が急激に変化する前の気圧の値を取得する。コントローラ１０は、ステップＳ１２２として、取得した水に浸かる前の気圧の値を気圧アプリケーション９Ｂに入力する。コントローラ１０は、処理を既に説明したステップＳ１０６に進める。コントローラ１０は、気圧アプリケーション９Ｂが終了したと判定した場合（ステップＳ１０６でＹｅｓ）、図１０に示す処理手順を終了させる。
【００９１】
実施形態の他の例に係るスマートフォン１の気圧アプリケーション９Ｂに関する制御の処理手順については、既に説明した実施形態の他の例の図９に示す処理手順をそのまま用いることができる。
【００９２】
実施形態に係るスマートフォンについて説明する。実施形態に係るスマートフォンは、制御プログラム９Ａの機能が異なる点を除いて、図１から４に示したスマートフォン１と同様の構成を有する。以下では、スマートフォン１を例として用いて、実施形態について説明する。
【００９３】
上述の実施形態に係るスマートフォン１は、気圧センサ１９の検出結果に基づいて、自機が水に浸かったかを判断する場合について説明した。実施形態に係るスマートフォン１は、他の判断方法を用いて水に浸かったかを判断する場合について説明する。
【００９４】
図１１を参照しながら、スマートフォン１が水に浸かったか否かを判断する例について説明する。図１１は、タッチスクリーン２Ｂにおける検出構成の例を示す図である。図１１に示すタッチスクリーン２Ｂの検出方式は、静電容量方式である。
【００９５】
図１１に示すように、タッチスクリーン２Ｂは、複数の第１電極２Ｂ１と、複数の第２電極２Ｂ２とを含む。複数の第１電極２Ｂ１は、タッチスクリーン２Ｂの長辺方向に延在する電極である。複数の第２電極２Ｂ２は、タッチスクリーン２Ｂの短辺方向に延在する電極である。複数の第１電極２Ｂ１と複数の第２電極２Ｂ２とは、マトリックス状に交差している。第１電極２Ｂ１と第２電極２Ｂ２とが交差する部分は、タッチスクリーン２Ｂの検出点６０である。タッチスクリーン２Ｂは、複数の検出点６０を含む。複数の検出点６０は、スマートフォン１がタッチスクリーン２Ｂにおける接触物の接触位置（接触点）を特定する場合に用いられる。複数の検出点６０は、マトリックス状に位置している。
【００９６】
タッチスクリーン２Ｂは、導電性の接触物が第１電極２Ｂ１と第２電極２Ｂ２とに近づくと、当該接触物と電極間に容量結合が発生する。タッチスクリーン２Ｂは、容量結合が発生した電極間の検出点６０の検出値が変化する。図１１に示す例では、タッチスクリーン２Ｂは、接触物の接触点７０付近の検出点６０の検出値が、他の検出点６０の検出値よりも大きくなる。このため、スマートフォン１は、変化した検出点６０の検出値に基づいて、タッチスクリーン２Ｂにおける接触物の接触点７０を検出することができる。
【００９７】
スマートフォン１が完全に水に浸かっている場合、タッチスクリーン２Ｂは、その表面全体が水と接触するために、複数の検出点６０の全てで検出値が変化する。すなわち、タッチスクリーン２Ｂは、水中の方が大気中よりも検出値が大きくなる。スマートフォン１は、複数の検出点６０の検出結果に基づいて、自機が水に浸かっているかを判断することができる。具体的には、スマートフォン１は、複数の検出点６０の全てで検出値が判断条件を満たす場合に、自機が水に浸かっていると判断することができる。
【００９８】
ストレージ９の設定データ９Ｚは、タッチスクリーン２Ｂの検出結果に基づいて、スマートフォン１（自機）が水に浸かったか否かを判断するための条件データを含む。条件データは、スマートフォン１が水中から出たことを判断するための条件を含んでもよい。
【００９９】
条件データは、自機が水に浸かったかを判断するための判断条件を含む。判断条件は、当該判断に用いる所定の検出点６０に対応した条件を含む。判断条件は、例えば、所定の検出点６０に対応した検出閾値、検出範囲、検出した接触点の範囲等を含む。所定の検出点６０は、複数の検出点６０の全てとしてもよい。所定の検出点６０は、複数の検出点６０のうちの一部としてもよい。判断条件は、所定時間当たりの変化範囲、閾値等を含んでもよい。
【０１００】
本実施形態では、判断条件は、複数の検出点６０で接触を検出した場合に、水に浸かっていると判断するための条件を含む。例えば、自機が水中である場合、タッチスクリーン２Ｂは、複数の検出点６０の全てが接触を検出する。しかし、自機が水没せずに、表面に水が付いた場合、タッチスクリーン２Ｂは、複数の検出点６０のうちの一部で接触を検出する。判断条件は、複数の検出点６０のうち一部で接触を検出していない場合に、水に浸かっていないと判断するための条件を含む。
【０１０１】
以下の説明では、条件データは、スマートフォン１が判断に用いる検出点６０とその出力値の出力範囲を含む場合について説明する。
【０１０２】
スマートフォン１は、気圧アプリケーション９Ｂを実行した後、気圧センサ１９が検出した気圧の値をストレージ９の気圧データ９Ｘにロギングする。なお、スマートフォン１は、気圧センサ１９が検出した気圧の値をストレージ９の気圧データ９Ｘにロギングした状態で、気圧アプリケーション９Ｂを実行してもよい。スマートフォン１は、タッチスクリーン２Ｂの検出結果と条件データとに基づいて、自機が水に浸かったかを判断する。
【０１０３】
スマートフォン１は、自機が水に浸かっていないと判断した場合、実行している気圧アプリケーション９Ｂに検出した気圧の値を入力する。スマートフォン１は、気圧アプリケーション９Ｂによって気圧の値及び高度の値をディスプレイ２Ａに表示する。
【０１０４】
スマートフォン１は、自機が水に浸かったと判断した場合、実行している気圧アプリケーション９Ｂに所定のデータを入力する。所定のデータは、水に浸かっていることを示すデータ、水圧の値を示していることを示すデータ、気圧の値を示していないことを示すデータを含む。本実施形態では、所定のデータは、水に浸かっていることを示すデータである場合について説明する。スマートフォン１は、気圧アプリケーション９Ｂによって水に浸かっていることを示す情報及び気圧の値をディスプレイ２Ａに表示する。
【０１０５】
実施形態に係るスマートフォン１は、タッチスクリーン２Ｂを用いて自機が水に浸かったことを判断することができる。スマートフォン１は、自機が水に浸かったと判断すると、気圧の値を用いる気圧アプリケーション９Ｂに入力することができる。スマートフォン１は、自機が水に浸かった場合に検出した気圧の値なのかを、利用者に識別可能に表示することができる。
【０１０６】
図１２を参照しながら、スマートフォン１による実施形態に係る制御の処理手順について説明する。図１２は、実施形態に係るスマートフォン１による制御の例の処理手順を示すフローチャートである。図１２に示す処理手順は、コントローラ１０が制御プログラム９Ａを実行することによって実現される。図１２に示す処理手順は、気圧アプリケーション９Ｂの実行が利用者によって要求された場合に、コントローラ１０によって実行される。
【０１０７】
図１２に示す例では、ステップＳ１０１及びステップＳ１０３からステップＳ１０６の処理は、図６に示すステップＳ１０１及びステップＳ１０３からステップＳ１０６の処理と同一である。図１２に示す例は、異なる部分のみを説明し、同一部分の説明は省略する場合がある。
【０１０８】
コントローラ１０は、ステップＳ１０１で気圧アプリケーション９Ｂが実行されると、ステップＳ１３１として、タッチスクリーン２Ｂの検出結果を取得する。具体的には、コントローラ１０は、タッチスクリーン２Ｂの第１電極２Ｂ１及び第２電極２Ｂ２をスキャンする。コントローラ１０は、複数の検出点６０のうちの全ての出力値を検出結果として取得することができる。なお、コントローラ１０は、出力値が変化した検出点６０と、その出力値を示す検出結果を取得することもできる。
【０１０９】
コントローラ１０は、ステップＳ１３２として、ステップＳ１３１で取得した検出結果に基づいて、自機が水に浸かったかを判別する。具体的には、コントローラ１０は、判断条件が指定する検出点６０の出力値が、判断条件の出力範囲である場合に、自機が水に浸かったと判別する。コントローラ１０は、判断条件が指定する検出点６０の出力値が、判断条件の出力範囲でない場合に、自機が水に浸かっていないと判別する。コントローラ１０は、複数の検出点６０のうち一部で接触を検出していない場合に、自機が水に浸かっていないと判別する。
【０１１０】
コントローラ１０は、ステップＳ１３２で自機が水に浸かっていないと判別した場合（ステップＳ１０３でＮｏ）、処理をステップＳ１０４に進める。コントローラ１０は、ステップＳ１０４として、検出した気圧の値を気圧アプリケーション９Ｂに入力し、その後、処理を後述するステップＳ１０６に進める。
【０１１１】
コントローラ１０は、ステップＳ１３２で自機が水に浸かったと判別した場合（ステップＳ１０３でＹｅｓ）、処理をステップＳ１０５に進める。コントローラ１０は、ステップＳ１０５として、所定のデータを気圧アプリケーション９Ｂに入力し、その後、処理をステップＳ１０６に進める。
【０１１２】
コントローラ１０は、ステップＳ１０６として、気圧アプリケーション９Ｂが終了したかを判定する。コントローラ１０は、気圧アプリケーション９Ｂが終了していないと判定した場合（ステップＳ１０６でＮｏ）、処理をステップＳ１３１に戻して再実行する。コントローラ１０は、気圧アプリケーション９Ｂが終了したと判定した場合（ステップＳ１０６でＹｅｓ）、図１２に示す処理手順を終了させる。
【０１１３】
実施形態に係るスマートフォン１の気圧アプリケーション９Ｂに関する制御の処理手順については、既に説明した図７に示す処理手順をそのまま用いることができる。
【０１１４】
以下に実施形態に係るスマートフォン１の他の例について説明する。当該他の例に係るスマートフォン１は、制御プログラム９Ａの機能が異なる点を除いて、図１から４に示したスマートフォン１と同様の構成を有する。そこで、以下では、スマートフォン１を例として用いて、実施形態の他の例について説明する。
【０１１５】
スマートフォン１は、気圧アプリケーション９Ｂを実行した後、気圧センサ１９が検出した気圧の値をストレージ９の気圧データ９Ｘにロギングする。スマートフォン１は、タッチスクリーン２Ｂの検出結果と条件データとに基づいて、自機が水に浸かったかを判断する。
【０１１６】
スマートフォン１は、自機が水に浸かっていないと判断した場合、実行している気圧アプリケーション９Ｂに検出した気圧の値を入力する。スマートフォン１は、気圧アプリケーション９Ｂによって気圧の値及び高度の値をディスプレイ２Ａに表示する。
【０１１７】
スマートフォン１は、自機が水に浸かったと判断した場合、検出した気圧の値を実行している気圧アプリケーション９Ｂに用いるのを中止する。スマートフォン１は、気圧アプリケーション９Ｂによってディスプレイ２Ａに表示している気圧の値及び高度の値の更新を中止する。その結果、スマートフォン１は、検出した気圧の値が急激に変化した場合、気圧の値ではない値（水圧の値）が表示されることを防止することができる。
【０１１８】
図１３を参照しながら、スマートフォン１による実施形態の他の例に係る制御の処理手順について説明する。図１３は、実施形態の他の例に係るスマートフォン１による制御の例の処理手順を示すフローチャートである。図１３に示す処理手順は、コントローラ１０が制御プログラム９Ａを実行することによって実現される。図１３に示す処理手順は、気圧アプリケーション９Ｂの実行が利用者によって要求された場合に、コントローラ１０によって実行される。
【０１１９】
図１３に示す例では、ステップＳ１０１、ステップＳ１０３からステップＳ１０４、ステップＳ１０６、及びステップＳ１３１からステップＳ１３２の処理は、図１２に示すステップＳ１０１、ステップＳ１０３からステップＳ１０４、ステップＳ１０６、及びステップＳ１３１からステップＳ１３２の処理と同一である。このため、図１３に示す例は、異なる部分のみを説明し、同一部分の説明は省略する。
【０１２０】
コントローラ１０は、ステップＳ１３２で自機が水に浸かったと判別した場合（ステップＳ１０３でＹｅｓ）、処理をステップＳ１１１に進める。コントローラ１０は、ステップＳ１１１として、検出した気圧の値を気圧アプリケーション９Ｂに用いるのを中止する。すなわち、コントローラ１０は、気圧の値を気圧アプリケーション９Ｂに入力しない。コントローラ１０は、処理を既に説明したステップＳ１０６に進める。コントローラ１０は、気圧アプリケーション９Ｂが終了したと判定した場合（ステップＳ１０６でＹｅｓ）、図１３に示す処理手順を終了させる。
【０１２１】
実施形態の他の例に係るスマートフォン１の気圧アプリケーション９Ｂに関する制御の処理手順については、既に説明した図９に示す処理手順をそのまま用いることができる。
【０１２２】
以下に実施形態に係るスマートフォン１の他の例について説明する。実施形態の他の例に係るスマートフォン１は、制御プログラム９Ａの機能が異なる点を除いて、図１から４に示したスマートフォン１と同様の構成を有する。そこで、以下では、スマートフォン１を例として用いて、実施形態の他の例について説明する。
【０１２３】
スマートフォン１は、気圧アプリケーション９Ｂを実行した後、気圧センサ１９が検出した気圧の値をストレージ９の気圧データ９Ｘにロギングする。スマートフォン１は、タッチスクリーン２Ｂの検出結果と条件データとに基づいて、自機が水に浸かったかを判断する。
【０１２４】
スマートフォン１は、自機が水に浸かっていないと判断した場合、実行している気圧アプリケーション９Ｂに検出した気圧の値を入力する。スマートフォン１は、気圧アプリケーション９Ｂによって気圧の値及び高度の値をディスプレイ２Ａに表示する。
【０１２５】
スマートフォン１は、自機が水に浸かったと判断した場合、水に浸かる前の気圧の値を気圧アプリケーション９Ｂに入力する。スマートフォン１は、実行している気圧アプリケーション９Ｂによって、水に浸かる前の気圧の値及びその高度の値をディスプレイ２Ａに表示する。その結果、スマートフォン１は、検出した気圧の値が急激に変化した場合、気圧の値ではない値（水圧の値）が表示されることを防止することができる。
【０１２６】
図１４を参照しながら、スマートフォン１による実施形態の他の例に係る制御の処理手順について説明する。図１４は、実施形態の他の例に係るスマートフォン１による制御の例の処理手順を示すフローチャートである。図１４に示す処理手順は、コントローラ１０が制御プログラム９Ａを実行することによって実現される。図１４に示す処理手順は、気圧アプリケーション９Ｂの実行が利用者によって要求された場合に、コントローラ１０によって実行される。
【０１２７】
図１４に示す例では、ステップＳ１０１、ステップＳ１０３からステップＳ１０４、ステップＳ１０６、及びステップＳ１３１からステップＳ１３２の処理は、図１２に示すステップＳ１０１、ステップＳ１０３からステップＳ１０４、ステップＳ１０６、及びステップＳ１３１からステップＳ１３２の処理と同一である。このため、図１４に示す例は、異なる部分のみを説明し、同一部分の説明は省略する。
【０１２８】
コントローラ１０は、ステップＳ１３２で自機が水に浸かったと判別した場合（ステップＳ１０３でＹｅｓ）、処理をステップＳ１２１に進める。コントローラ１０は、ステップＳ１２１として、ストレージ９の気圧データ９Ｘから水に浸かる前の気圧の値を取得する。具体的には、コントローラ１０は、気圧データ９Ｘから気圧の値が急激に変化する前の気圧の値を取得する。コントローラ１０は、ステップＳ１２２として、取得した水に浸かる前の気圧の値を気圧アプリケーション９Ｂに入力する。コントローラ１０は、処理を既に説明したステップＳ１０６に進める。コントローラ１０は、気圧アプリケーション９Ｂが終了したと判定した場合（ステップＳ１０６でＹｅｓ）、図１４に示す処理手順を終了させる。
【０１２９】
実施形態の他の例に係るスマートフォン１の気圧アプリケーション９Ｂに関する制御の処理手順については、既に説明した図９に示す処理手順をそのまま用いることができる。
【０１３０】
本出願の開示する実施形態は、発明の要旨及び範囲を逸脱しない範囲で変更することができる。さらに、本出願の開示する実施形態は、適宜組み合わせることができる。例えば、上記の実施形態は、以下のように変形してもよい。
【０１３１】
例えば、図４に示した各プログラムは、複数のモジュールに分割されていてもよいし、他のプログラムと結合されていてもよい。
【０１３２】
上記の実施形態では、スマートフォン１は、自機が水に浸かったかを判断する場合について説明したが、これに限定されない。例えば、スマートフォン１は、水深を計算することもできる。
【０１３３】
スマートフォン１は、自機が水に浸かったと判断する直前の気圧の値をストレージ９の気圧データ９Ｘに記憶する。スマートフォン１は、当該直前の気圧の値と水中で検出した気圧（水圧）の値を算出プログラムに当てはめて水深を計算する。
【０１３４】
例えば、スマートフォン１は、水深が１．５ｍ変化したときに、検出する気圧の値が１５０ｈＰａ変化することを前提とする。この場合、スマートフォン１は、水に浸かったと判断した直前の気圧（基準気圧）が１０００ｈＰａであった場合、水深１．５ｍにおける気圧センサ１９の検出値が１１５０ｈＰａとなる。スマートフォン１は、水に浸かったと判断した直前の気圧（基準気圧）が５００ｈＰａであった場合、水深１．５ｍにおける気圧センサ１９の検出値が６５０ｈＰａとなる。算出プログラムは、基準気圧と水圧と水深との関係に基づいて水深を算出するプログラムを含む。スマートフォン１は、当該算出プログラムをストレージ９に記憶している。
【０１３５】
スマートフォン１は、自機が水に浸かったと判断した後、気圧センサ１９が検出した検出値（水圧の値）と、水に浸かったと判断した直前の気圧の値とを算出プログラムに当てはめて水深を計算する。スマートフォン１は、計算した水深をディスプレイ２Ａに表示する。スマートフォン１は、計算した水深を気圧データ９Ｘに紐付けてストレージ９に記憶する。
【０１３６】
例えば、海中で利用者が自機を振った場合、スマートフォン１は、気圧センサ１９が検出する検出値が、自機を振らない場合よりも大きな値となる。この場合、スマートフォン１は、加速度センサ１５の検出結果に基づいて自機が振られたことを検出し、気圧センサ１９の検出値を所定の補正値で補正する。所定の補正値は、実験結果から算出した値を含む。
【０１３７】
上記の実施形態では、スマートフォン１は、気圧センサ１９の検出結果またはタッチスクリーン２Ｂの検出結果に基づいて、自機が水に浸かったかを判断する場合について説明したが、これに限定されない。例えば、スマートフォン１は、気圧センサ１９及びタッチスクリーン２Ｂの双方の検出結果に基づいて、自機が水に浸かったかを判断してもよい。
【０１３８】
上記の実施形態において、スマートフォン１は、気圧の値を用いるアプリケーションが気圧アプリケーション９Ｂである場合について説明したが、これに限定されない。例えば、スマートフォン１は、気圧の値に基づいて利用者のエネルギ消費量を算出する算出アプリケーションを当該アプリケーションとしてもよい。
【０１３９】
例えば、算出アプリケーションは、例えば、利用者のエネルギ消費量を算出するために用いられる。算出アプリケーションは、例えば、利用者の移動速度（歩数）とエネルギ消費量との関係式に、利用者の移動速度と高度とを当てはめて、利用者の消費量を算出するための機能を提供できる。この利用者のエネルギ消費量は、自機が水に浸かっているかを考慮して算出してもよい。例えば、利用者が同じ歩数を歩いた場合に、算出アプリケーションは、利用者が地上および水中のいずれかに応じて、エネルギ消費量の関係式を変更してもよい。この利用者のエネルギ消費量は、利用者が地上および水中の環境を考慮して算出してもよい。このエネルギ消費量としては、例えば、日本国の計量法に基づいて「人若しくは動物が摂取する物の熱量又は人若しくは動物が代謝により消費する熱量の計量」として熱力学カロリー（ｃａｌ）が採用される。エネルギ消費量の計量はこれに限られるものではなく、ＣＧＰＭ（Ｃｏｎｆｅｒｅｎｃｅ  Ｇｅｎｅｒａｌ  ｄｅｓ  Ｐｏｉｄｓ  ｅｔ  Ｍｅｓｕｒｅｓ）に基づいてジュール（Ｊ）が採用されてもよい。
【０１４０】
算出アプリケーションが算出する対象は、利用者のエネルギ消費量に限定されるものではなく、利用者のエクササイズ、歩行によって移動した際の歩数などを算出してもよい。「エクササイズ」とは、身体活動の量を表す単位である。エクササイズは、後述するメッツに身体活動の実施時間を乗じて算出される運動の量である。このメッツとは、身体活動の強さを表す単位である。この身体活動の強さは、身体活動の種類ごとに異なる。メッツは、例えば使用者の移動方法ごとに設定される。メッツは、活動量を示す活動ファクタであるエネルギ消費量の演算に用いてもよい。メッツでは、安静時の身体活動の強さに対する比として表される。例えば、座って安静にしている状態が１メッツ、普通歩行が３メッツに相当するとされる。つまり、普通歩行の身体活動の強さは、安静時の身体活動の強さに対して、３倍であることを意味する。
【０１４１】
上記の実施形態では、気圧センサを備える携帯装置の例として、スマートフォン１について説明したが、添付の請求項に係る携帯装置は、スマートフォンに限定されない。添付の請求項に係る携帯装置は、スマートフォン以外の携帯電子機器であってもよい。携帯電子機器は、例えば、モバイルフォン、タブレット、携帯型パソコン、デジタルカメラ、スマートウォッチ、ヘッドマウントディスプレイ、メディアプレイヤ、電子書籍リーダ、ナビゲータ、及びゲーム機を含むが、これに限定されない。
【０１４２】
添付の請求項に係る技術を完全かつ明瞭に開示するために特徴的な実施形態に関し記載してきた。しかし、添付の請求項は、上記実施形態に限定されるべきものでなく、本明細書に示した基礎的事項の範囲内で当該技術分野の当業者が創作しうるすべての変形例及び代替可能な構成を具現化するように構成されるべきである。
【符号の説明】
【０１４３】
１  スマートフォン
２  タッチスクリーンディスプレイ
２Ａ  ディスプレイ
２Ｂ  タッチスクリーン
３  ボタン
４  照度センサ
５  近接センサ
６  通信ユニット
７  レシーバ
８  マイク
９  ストレージ
９Ａ  制御プログラム
９Ｂ  気圧アプリケーション
９Ｘ  気圧データ
９Ｚ  設定データ
１０  コントローラ
１１  スピーカ
１２、１３  カメラ
１４  コネクタ
１５  加速度センサ
１６  方位センサ
１７  ジャイロスコープ
１９  気圧センサ
２０  ハウジング
【図１】
2016213764.tif 000003
【図２】
2016213764.tif 000004
【図３】
2016213764.tif 000005
【図４】
2016213764.tif 000006
【図５】
2016213764.tif 000007
【図６】
2016213764.tif 000008
【図７】
2016213764.tif 000009
【図８】
2016213764.tif 000010
【図９】
2016213764.tif 000011
【図１０】
2016213764.tif 000012
【図１１】
2016213764.tif 000013
【図１２】
2016213764.tif 000014
【図１３】
2016213764.tif 000015
【図１４】
2016213764.tif 000016